(57)【特許請求の範囲】
【請求項１】
プラスチック製ケース(1)の上面に、携帯用電気機器(2)を脱着自在に傾斜姿勢で装着できる凹部(3)を有し、この凹部(3)には、携帯用電気機器(2)に内蔵する二次電池を充電する充電端子(4)が表出されており、携帯用電気機器(2)を傾斜姿勢で凹部(3)に装着すると、充電端子(4)を介して内蔵二次電池が充電されるように構成されてなる携帯用電気機器の充電装置の製造方法において、  凹部(3)に装着される携帯用電気機器(2)の前面に対向し、かつ凹部(3)の内面に位置して、携帯用電気機器(2)が垂直方向に傾動するのを阻止する姿勢保持凸部(5)を金型(6)でケース(1)と一体成形し、
姿勢保持凸部(5)を成形する金型(6)に、姿勢保持凸部(5)の下方の凹部(3)底面を貫通して、姿勢保持凸部(5)の下面を成形する下金型(6B)を使用し、この下金型(6B)で姿勢保持凸部(5)の下面を成形した後、下金型(6B)を型抜穴(7)から下方に脱型して、成形されたケース(1)を脱型し、脱型されたケース(1)の型抜穴(7)を、ケース(1)と別に成形された閉塞蓋(8)で閉塞することを特徴とする携帯用電気機器の充電装置の製造方法。
【発明の詳細な説明】
【０００１】
【発明の属する技術分野】
本発明は、主として、携帯電話等の携帯用電気機器を充電する装置において、この充電装置を製造する方法に関する。とくに、本発明は、ケースの凹部に携帯用電気機器を傾斜姿勢で脱着自在に装着する充電装置の製造方法に関する。
【０００２】
【従来の技術】
傾斜する姿勢で、携帯電話等を脱着自在に装着する充電装置は、内蔵する二次電池を充電する状態で、電話器等の表示を見やすい特長がある。このため、携帯用電気機器を傾斜姿勢で装着する充電装置が多用されている。携帯用電気機器を傾斜姿勢で装着する充電装置は、図１の断面図に示すように、ケース１の凹部３の背面３Ａを傾斜させている。この構造のケース１は、背面３Ａに沿うように携帯用電気機器２を装着すると、傾斜する姿勢で装着できる。
【０００３】
しかしながら、この姿勢で凹部３に装着された電気機器２は、図の矢印で示すように、前方に移動しやすい欠点がある。とくに、凹部３の背面３Ａや底面に、電気機器２の背中や底部を弾性的に押圧する充電端子４があると、電気機器２が矢印で示す方向にずれやすい欠点がある。電気機器２が矢印の方向に移動すると、装着位置がずれて充電端子４を確実に電気接続できなくなり、内蔵する二次電池を正常に充電できないことがある。
【０００４】
この弊害は、図２に示すように、電気機器２の前方に姿勢保持凸部５を設けて解消できる。姿勢保持凸部５は、凹部３に装着される携帯用電気機器２の前面に対向し、かつ凹部３の内面に位置して、プラスチック製ケース１に一体成形される。姿勢保持凸部５のある凹部３は、装着された電気機器２が破線で示す矢印の方向に移動するのを阻止する。電気機器２が破線で示す矢印の方向に移動するとき、姿勢保持凸部５が電気機器２の前面に衝突するからである。
【０００５】
【発明が解決しようとする課題】
図２に示す構造のケース１は、電気機器２を定位置に装着できる特長はあるが、凹部３のあるケース１を成形するために、極めて複雑な構造の金型を使用する必要がある。図３〜図６は、この形状のプラスチック製ケース１を成形する金型６を示している。これ等の図に示す金型６は、上金型６Ａを複数のブロックに分割している。姿勢保持凸部５のある凹部３を成形する上金型６Ａは、図に示すように分割して、幅を狭くして凹部３から引き抜きする必要がある。図の金型６は、ケース凹部３の上面を３分割した上金型６Ａで成形している。中央の上金型６Ａは、くさび型のくさび金型６ａである。図３に示すように、くさび金型６ａを押し下げると、両側の上金型６ｂが押し広げられて姿勢保持凸部５のある凹部３を成形する。脱型するときは、図４に示すように、中央のくさび金型６ａを上昇させて両側の上金型６ｂを互いに接近した後、図５に示すように、上金型６Ａ全体を上昇させて、姿勢保持凸部５に引っかからない状態で脱型する。
【０００６】
以上のように、電気機器２を傾斜姿勢で装着する凹部３に、姿勢保持凸部５を設けたプラスチック製ケース１は、便利に使用できるが、簡単に成形できないので製造コストが高くなる欠点がある。
【０００７】
本発明は、この欠点を解決することを目的に開発されたものである。本発明の重要な目的は、携帯用電気機器を傾斜姿勢で装着できる凹部を有するにもかかわらず、簡単かつ容易に、しかも安価に多量生産できる携帯用電気機器の充電装置の製造方法を提供することにある。
【０００８】
【課題を解決するための手段】
【００１０】
本発明の充電装置の製造方法は、プラスチック製ケース１の上面に、携帯用電気機器２を脱着自在に傾斜姿勢で装着できる凹部３を有し、この凹部３には、携帯用電気機器２に内蔵する二次電池を充電する充電端子４を表出し、携帯用電気機器２を傾斜姿勢で凹部３に装着すると、充電端子４を介して内蔵二次電池が充電されるように構成されている携帯用電気機器２を製造する方法であって、下記の独得の方法でプラスチック製ケース１を成形する。
【００１１】
プラスチック製ケース１は、凹部３に装着される携帯用電気機器２の前面に対向し、かつ凹部３の内面に位置して、携帯用電気機器２が垂直方向に傾動するのを阻止する姿勢保持凸部５を金型６で一体成形する。姿勢保持凸部５を成形する金型６には、姿勢保持凸部５の下方に位置する凹部３の底面を貫通して、姿勢保持凸部５の下面を成形する下金型６Ｂを使用する。この下金型６Ｂで姿勢保持凸部５の下面を成形した後、下金型６Ｂを型抜穴７から下方に脱型して、成形されたケース１を脱型し、脱型されたケース１の型抜穴７を、ケース１と別に成形された閉塞蓋８で閉塞する。
【００１２】
【発明の実施の形態】
以下、本発明の実施の形態を図面に基づいて説明する。ただし、以下に示す実施の形態は、本発明の技術思想を具体化するための携帯用電気機器の充電装置とその製造方法を例示するものであって、本発明は充電装置とその製造方法を下記のものに特定しない。
【００１３】
さらに、この明細書は、特許請求の範囲を理解しやすいように、実施の形態に示される部材に対応する番号を、「特許請求の範囲の欄」、および「課題を解決するための手段の欄」に示される部材に付記している。ただ、特許請求の範囲に示される部材を、実施の形態の部材に特定するものでは決してない。
【００１４】
図７〜図１０に示す携帯用電気機器の充電装置は、プラスチック製のケース１の上面に、携帯用電気機器２を脱着自在に傾斜姿勢で装着できる凹部３を設けている。この凹部３には、携帯用電気機器２に内蔵する二次電池を充電する充電端子４を表出させている。
【００１５】
充電端子４は、弾性変形する金属線を折曲したもので、ケース１に内蔵されるプリント基板９に固定して、凹部３の電極穴から凹部３内に弾性的に突出する状態で配設される。図の充電端子４は、電気機器２の底面に接近する位置に配設されている。充電端子４はプリント基板９に設けられた充電回路１０に接続されている。この充電端子４は、凹部３に装着される電気機器２の充電接点に接続されて、電気機器２に内蔵される二次電池を充電する。
【００１６】
ケース１は、上下に２分割して成形されている。図のケース１は、ネジ止して上下のケースを連結している。上のケースには携帯用電気機器２を装着する凹部３を成形している。凹部３は背面３Ａと底面とを傾斜させて、ここに装着される携帯用電気機器２を傾斜姿勢で保持する。凹部３の前面３Ｂは垂直面で、その上端部の内面に姿勢保持凸部５を一体成形している。
【００１７】
姿勢保持凸部５は、傾斜姿勢の携帯用電気機器２が、垂直方向に傾動しようとするときに、電気機器２の前面に衝突して、電気機器２を傾斜姿勢に保持する。姿勢保持凸部５は、凹部３に装着される携帯用電気機器２の前面に対向し、かつ凹部３の内面の上部に位置してケース１に一体成形されている。図７に示すケース１は、凹部３の前面３Ｂを垂直面としてその上部に姿勢保持凸部５を突出して設けている。ただ、本発明の充電装置は、図１１に示すように、凹部３の前面３Ｂを背面３Ａと平行な方向に傾斜させる傾斜面として、上部の内面に姿勢保持凸部５を一体成形することもできる。
【００１８】
さらに、図７と図１１に示すケース１は、凹部３の底面を貫通して型抜穴７を開口している。型抜穴７は、姿勢保持凸部５の下方に位置して開口される。型抜穴７は、姿勢保持凸部５の下面を成形する金型６を、下方に脱型する貫通孔である。図８の平面図は、姿勢保持凸部５と型抜穴７を示している。この図の型抜穴７は、姿勢保持凸部５の下方にあって、姿勢保持凸部５の外形よりも大きく開口している。
【００１９】
凹部３を設けているケース１は、図１２〜図１４に示す金型６で成形される。これ等の図に示す金型６は、上金型６Ａと下金型６Ｂとからなっている。上金型６Ａは、ケース１の上面を成形し、下金型６Ｂはケース１の下面を成形する。図のケース１は、凹部３の上部に姿勢保持凸部５を突出して一体成形し、さらに、底部に型抜穴７を開口している。上金型６Ａは姿勢保持凸部５の上面を含むケース１の上面を成形する。下金型６Ｂは、型抜穴７から凹部３に突出して、姿勢保持凸部５の下面と、前壁１１における型抜穴７の上方部分を成形する。下金型６Ｂは、姿勢保持凸部５の下面と、前壁１１における型抜穴７の上方部分を成形する成形室を有する。前壁１１における型抜穴７の上方部分を除く部分と、側壁１２と背面壁１３とは、上金型６Ａで内面を、下金型６Ｂで外側面を成形する。さらに、図のケース１は、下金型６Ｂで支柱１４を一体成形している。
【００２０】
これ等の図に示す金型６は下記のようにして、ケース１を一体成形する。
▲１▼  図１２に示すように、上金型６Ａと下金型６Ｂとを型締めして、上金型６Ａと下金型６Ｂの間にできる成形室に、加熱して溶融されたプラスチックを圧入する。
▲２▼  成形室に圧入されたプラスチックを冷却して硬化させた後、図１３に示すように、上金型６Ａを上昇させる。
▲３▼  その後、図１４に示すように、硬化したプラスチック製ケース１を下金型６Ｂから分離して脱型する。
【００２１】
以上のようにして、成形されたプラスチックケース１は、凹部３の内面に突出して姿勢保持凸部５を設けた形状のものである。これ等の図は、図７に示すケース１を成形する金型６を示している。図１１に示す形状のケース１も、これ等の図に示す金型６と同じ構造、すなわち、型抜穴７の上方の前壁１１にあたる部分を下金型６Ｂで成形して製造できる。
【００２２】
凹部３に姿勢保持凸部５を一体成形したケース１は、型抜穴７を閉塞蓋８で塞いだ後、別に成形された下のケースに連結して組み立てられる。閉塞蓋８は、接着、あるいは溶着してケース１の型抜穴７を塞ぐ位置に固定される。図７に示すケース１は、閉塞蓋８を、ケース１の底面に金型６で設けた段差部に嵌入して固定している。この構造は、閉塞蓋８を定位置に正確に固定できる特長がある。また、ケース１の底面を同一平面にできる特長もある。図１５に示すケース１は、型抜穴７の下面に閉塞蓋８を固定して、型抜穴７を塞いでいる。この構造のケース１は、金型６で凹部３の底に段差を成形する必要がなく、金型６を簡単にできる特長がある。
【００２３】
【発明の効果】
本発明の携帯用電気機器の充電装置の製造方法は、携帯用電気機器を傾斜姿勢で簡単に脱着できると共に、電気機器を傾斜姿勢に保持する姿勢保持凸部のあるケースを、安価に多量生産できる特長がある。それは、本発明の電気機器の充電装置の製造方法が、簡単な構造の金型で、凹部の内面に姿勢保持凸部の突出するケースを能率よく多量生産できるからである。すなわち、本発明の充電装置の製造方法は、ケース凹部の底に開口した型抜穴から、下金型を凹部に突出させる独得の構造によって、姿勢保持凸部の突出するケースを、脱型のために分離しない金型で成形できるからである。
【図面の簡単な説明】
【図１】従来の携帯用電気機器の充電装置を示す断面図
【図２】従来の他の携帯用電気機器の充電装置を示す断面図
【図３】従来の充電装置の製造方法に使用する金型を示す断面図
【図４】従来の充電装置の製造方法に使用する金型を示す断面図
【図５】従来の充電装置の製造方法に使用する金型を示す断面図
【図６】従来の充電装置の製造方法に使用する金型を示す断面図
【図７】本発明の携帯用電気機器の充電装置の一実施の形態を示す断面図
【図８】図７に示す充電装置の平面図
【図９】図７に示す充電装置の側面図
【図１０】図７に示す充電装置の背面図
【図１１】本発明の携帯用電気機器の充電装置の他の実施の形態を示す断面図
【図１２】本発明の充電装置の製造方法に使用する金型の一実施の形態を示す断面図
【図１３】本発明の充電装置の製造方法に使用する金型の一実施の形態を示す断面図
【図１４】本発明の充電装置の製造方法に使用する金型の一実施の形態を示す断面図
【図１５】本発明の携帯用電気機器の充電装置の他の実施の形態を示す断面図
【符号の説明】
１…ケース
２…電気機器
３…凹部            ３Ａ…背面        ３Ｂ…前面
４…充電端子
５…姿勢保持凸部
６…金型            ６Ａ…上金型        ６Ｂ…下金型
６ａ…くさび金型    ６ｂ…両側の上金型
７…型抜穴
８…閉塞蓋
９…プリント基板
１０…充電回路
１１…前壁
１２…側壁
１３…背面壁
１４…支柱
【図１】
0003540488.tif 000002
【図２】
0003540488.tif 000003
【図３】
0003540488.tif 000004
【図４】
0003540488.tif 000005
【図５】
0003540488.tif 000006
【図６】
0003540488.tif 000007
【図７】
0003540488.tif 000008
【図８】
0003540488.tif 000009
【図９】
0003540488.tif 000010
【図１０】
0003540488.tif 000011
【図１１】
0003540488.tif 000012
【図１２】
0003540488.tif 000013
【図１３】
0003540488.tif 000014
【図１４】
0003540488.tif 000015
【図１５】
0003540488.tif 000016